(57)【要約】【課題】  最近のフチ無し（ツーポイント）及び丸型、三角、玉子型のレンズ径の小さいファッションメガネのフレームの前部分に取り付けるにはかかる従来からある着脱式補助グラスはサイズが合わず装着できないという問題があった。【解決手段】  着脱式補助グラス２のグラス２１間を連結するブリッジ２３に下方に向けた突片２４とハ字状に広がる係止バネ２７を各設け、該突片２４をメガネ１側のブリッジ１２に、該係止バネ２７をメガネ側のレンズ１１またはレンズフレームに各引っ掛けるようにした。また前記ブリッジ２３を幅厚に形成し幅方向手前側から下方に垂設した眼鏡フレームのブリッジ１２を係止する突片２４を設け、後方側から羽根２２の下方円弧端に眼鏡レンズ１１の押さえ片２５を突出させた。【選択図】図１
2005156644.tif 000002
【特許請求の範囲】
【請求項１】
着脱式補助グラス（２）のグラス（２１）間を連結するブリッジ（２３）に下方に向けた突片（２４）とハ字状に広がる係止バネ（２７）を各設け、該突片（２４）をメガネ（１）側のブリッジ（１２）に、該係止バネ（２７）をメガネ側のレンズ（１１）またはレンズフレームに各引っ掛けるようにした着脱式補助グラス。
【請求項２】
前記ブリッジ（２３）を幅厚に形成し、幅方向手前側から下方に眼鏡フレームのブリッジ（１２）に係止させる突片（２４）を垂設し、後方側から羽根（２２）の円弧端下方に眼鏡レンズ（１１）の押さえ片（２５）を突出させた請求項1記載の着脱式補助グラス。
【請求項３】
着脱式補助グラスのグラス（２１）を、グラス（２１）間を連結するブリッジ（２３）から延設する羽根（２２）にビス止めするようにした着脱式補助グラス。
【発明の詳細な説明】
【技術分野】
【０００１】
この発明は眼鏡の前面に装着するサングラスまたは老眼鏡などの着脱式補助グラスに関する。
【背景技術】
【０００２】
従来の眼鏡フレームに装着する着脱式補助グラスまたはフロントグラスは、どれも男性用を主として考案されており、近年のフチなしメガネ、レンズ径の小さいアイビーメガネ、枠有りのナイロール型のメガネ、特に女性用のファッションメガネなどにはレンズの大きさに限界があり、装着不可能に近い構造であった。
【特許文献１】実用新案登録３０８８９８６号
【特許文献２】実用新案登録３０２０５１６号
【特許文献３】実開平６−８２６２４号
【発明の開示】
【発明が解決しようとする課題】
【０００３】
近視、遠視、矯正用の眼鏡の前面に装着する着脱式補助グラスは、主に男性中心の製品で使用できるメガネフレームにも制限がありデザイン的にも修正できない点があり、大きく重いという難点があった。また最近のフチ無し（ツーポイント）及び丸型、三角、玉子型のレンズ径の小さいファッションメガネのフレームの前部分に取り付けるには従来からある着脱式補助グラスはサイズが合わず装着できないという問題があった。
【課題を解決するための手段】
【０００４】
請求項１記載のように、着脱式補助グラス２のグラス２１間を連結するブリッジ２３に下方に向けた突片２４とハ字状に広がる係止バネ２７を各設け、該突片２４をメガネ１側のブリッジ１２に、該係止バネ２７をメガネ側のレンズ１１またはレンズフレームに各引っ掛けるようにした。
【０００５】
また請求項２記載のように、前記ブリッジ２３を幅厚に形成し、幅方向手前側から下方に眼鏡フレームのブリッジ１２に係止させる突片２４を垂設し、後方側から羽根２２の円弧端下方に眼鏡レンズ１１の押さえ片２５を突出させた。
【０００６】
また請求項３記載のように、着脱式補助グラスのグラス２１をグラス２１間を連結するブリッジ２３から延設する羽根２２にビス止めするようにした。
【発明の効果】
【０００７】
本発明の着脱式補助グラスのブリッジ２３に設けた突片２４と係止バネ２７を装着するメガネ側のブリッジ１２及びレンズ１１に各引っ掛けて挟み込むようにしたから突片２４がメガネのブリッジを下方に引き下げるように保持し、係止バネ２７の先端フック２７ａがメガネのレンズを押し上げるように保持するのでフチ無し（ツーポイント）及び丸型、三角、玉子型などレンズ径の小さいファッションメガネのフレームにも装着することが出来る。
【０００８】
また補助グラス部分をビスで交換できるようにしたから通常メガネの前面に計測された老眼鏡レンズ(プラスチック製)のレンズを加工して取り付けることも出来る。
【０００９】
更に前記ブリッジ２３を幅厚に形成し幅方向手前側から下方に眼鏡フレームのブリッジ１２を係止する突片２４を垂設し、後方側から羽根２２の下方円弧端に眼鏡レンズ１１の押さえ片２５を突出させて着脱式補助グラスをメガネに装着したときにメガネレンズを突片２４と押さえ片２５で挟持するようにしたからガタツクことなく安定的にメガネレンズに装着できるなどの効果がある。
【発明を実施するための最良の形態】
【００１０】
着脱式補助グラスのブリッジ２３に設けた突片２４と係止バネ２７を装着するメガネ側のブリッジ１２及びレンズ１１に各引っ掛けて挟み込むようにする。また着脱式補助グラスのレンズ２１を交換可能なようにビス止めとする。
【実施例】
【００１１】
メガネ1の前面に装着する本発明の着脱式補助グラス2は図1に示すように、着色処理されたプラスチックまたはガラス製の一対のグラス２１を幅広な樹脂製のブリッジ２３で連結したものであって、グラス２１はその上縁をブリッジ２３の両端から左右上方に円弧状に延びる羽根２２に取り付けた金属片２９を介してビス２６でビス止めされている。また幅広な樹脂製ブリッジ２３の幅方向手前側から下方に垂設した眼鏡フレームのブリッジ１２を係止する突片２４を設け、後方側に羽根２２の逆側円弧端の下方に眼鏡レンズ１１の押さえ片２５を突出させた。更にブリッジ２３から下方にハ字状に広がり通常は着脱式補助グラスのレンズ２１にその両端フック２７ａを掛け止めする金属製の係止バネ２７を設けてある。この係止バネ２７はブリッジ２３に設けたヒンジ２８でその中央部分が支持され、グラス２１に向けバネ付勢されている。尚、突片２４はブリッジ２３の中央に１個設けたが、２個併設すれば更に安定的にメガネブリッジ１２を保持することが出来る。
【００１２】
本着脱式補助グラスを眼鏡に装着する場合は、先ず係止バネ２７の先端フック２７ａを眼鏡レンズ１１または眼鏡フレームに引っ掛け、次いで幅厚なブリッジ２３部分を摘んで引き上げながら突片２４をメガネのブリッジ１１に引っ掛ける。そして手を離すと係止バネ２７の作用で下動し、図２及び図６に示すように突片２４がメガネブリッジ１１に係止状態となる。またこの状態では羽根２２の下方の円弧端に突設した押さえ片２５がメガネのレンズ面を押さえ込むようになっている。尚、図５および図６の側断面図に示すようにこの突片２４と押さえ片２５との間隔は３mm〜４mm程度に設定し、この間隙内で湾曲するメガネのレンズ１１を押さえ片２５で、メガネのブリッジ１２を突片２４で位置を違えて押さえ込むように各保持し、係止バネ２７の作用で押し付けるようにしたので着脱式メガネは装着するメガネに安定的に取り付けることが出来る。
【図面の簡単な説明】
【００１３】
【図１】本発明着脱式補助グラスをメガネへ装着する状態を示す説明図。
【図２】着脱式補助グラスをメガネへ装着した状態を示す斜視図
【図３】着脱式補助グラスの背面図。
【図４】着脱式補助グラスの正面図。
【図５】着脱式補助グラスの中央側断面図。
【図６】着脱式補助グラスをメガネへ装着した状態の中央側断面図。
【符号の説明】
【００１４】
１    メガネ
１１  メガネレンズ
１２  メガネのブリッジ
２    着脱式補助グラス
２１  グラス
２２  羽根
２３  ブリッジ
２４  メガネブリッジ係止用の突片
２５  メガネレンズ押さえ用の押さえ片
２６  ビス
２７  係止バネ
２８  ヒンジ
２９  金属片
【図１】
2005156644.tif 000003
【図２】
2005156644.tif 000004
【図３】
2005156644.tif 000005
【図４】
2005156644.tif 000006
【図５】
2005156644.tif 000007
【図６】
2005156644.tif 000008